(57)【要約】      （修正有）【課題】フィルターエレメントを効果的に洗浄する水ろ過装置を提供する。【解決手段】水ろ過装置１は、浄化水吐出端を有する直管形フィルターエレメント２と、第１吐出端３２、給水端３４及び第２吐出端３５を備え、第１吐出端が浄化水吐出端２１に接続され、第２吐出端が制御弁３６を有し、その内側壁面の一方側には第１案内部６を有する直筒３と、直管形フィルターエレメントに設けられ、その内輪面には、第１洗浄部材４４を有し、その一方側には、第１案内部に相対上下移動可能に連結される第２案内部４６を有し、その他方側には、第１スクリュー５が螺合され、第１スクリューの一端には、第１スクリューが原位置で回動するときに第１洗浄部材を上下移動させて直管形フィルターエレメントの外側壁面をクリーニングし、さらに直筒の内側壁面を同時にクリーニングするように駆動する駆動部材５１が連結されているリングとを、備える。【選択図】図１
0003226481.tif 000002
【実用新案登録請求の範囲】
【請求項１】
水ろ過装置であって、
その内部空間に連通する浄化水吐出端を有する直管形フィルターエレメントと、
円筒形空間を内部に有し、第１吐出端、給水端及び第２吐出端を有する直筒であって、前記第１吐出端が前記直管形フィルターエレメントの前記浄化水吐出端に接続され、前記直管形フィルターエレメントを前記円筒形空間の内部に同軸に位置決めし、前記第２吐出端が前記直筒の吐出量を制御する制御弁を有し、前記直筒の内側壁面と前記直管形フィルターエレメントの外側壁面との間に環状空間が形成されており、前記直筒の内側壁面の一方側に第１案内部を有する直筒と、
リングであって、前記直管形フィルターエレメントに設けられ、当該リングの内輪面には、前記直管形フィルターエレメントの外側壁面に当接する第１洗浄部材を有し、当該リングの一方側には、前記第１案内部に相対上下移動可能に連結される第２案内部を有し、当該リングの他方側には、第１スクリューが螺合され、前記第１スクリューの一端には、前記第１スクリューを原位置で回動させるための駆動部材が連結され、それにより前記第１洗浄部材が上下に移動して前記直管形フィルターエレメントの外側壁面をクリーニングするリングと、を備える水ろ過装置。
【請求項２】
前記リングの外輪面には、前記直筒の内側壁面に当接して前記内側壁面をクリーニングするための第２洗浄部材を有する、
請求項１に記載の水ろ過装置。
【請求項３】
前記第１案内部は、直線ロッドであり、前記第２案内部は、前記リングの一方側を上下に貫通している孔であり、前記直線ロッドは、前記孔を貫通して、前記リングが前記第１案内部に対して上下移動するようにする、
請求項１又は２に記載の水ろ過装置。
【請求項４】
前記第１案内部はスクリューであり、前記第２案内部は前記リングの一方側を上下に貫通している第２内ネジである、
請求項１又は２に記載の水ろ過装置。
【請求項５】
前記リングの他方側は、前記第１スクリューに螺合するための、前記リングを上下に貫通している第１内ネジを有する、
請求項４に記載の水ろ過装置。
【請求項６】
前記直筒の筒壁には透明覗ぎ窓を有する、
請求項１又は２に記載の水ろ過装置。
【考案の詳細な説明】
【技術分野】
【０００１】
本考案は、水ろ過装置に関し、特に洗浄部材を上下に移動させてフィルターエレメントを洗浄するものである。
【背景技術】
【０００２】
さまざまな流体に含まれる不純物をろ過するために、少なくとも１つのフィルタを用いてろ過する場合が多い。人々の生活に欠かせない水資源の場合、産業公害による汚染、消毒用塩化物による発がん物質（トリハロメタン）、輸送用金属管から放出される重金属及び有毒物質や各種の不明な管外感染源を受けやすいため、使用者は、水道水の吐出口にフィルターエレメント式、ろ過網式又は逆浸透式のような各種の浄水器を取り付けて、水に含まれる不純物をろ過するのが一般的である。
【０００３】
一般的な浄水器は、所定時間使用されると、ろ過水流が順調に流れることを確保するとともに、ろ過の品質を確保するために、フィルターエレメントを定期的に取り外してクリーニングしたり、新しいものに交換したり、モータで水流が逆方向に流れるように駆動したりする必要がある。
【考案の概要】
【考案が解決しようとする課題】
【０００４】
しかしながら、同一フィルターエレメントのろ過効果が水源によって異なり、ニーズに応じてフィルターエレメントの洗浄時間を一定に設定できるが、今日の忙しい社会では、手動でフィルターエレメントを取り外して洗浄する方式は、利便性が不十分である。さらに、予め設定されたフィルターエレメントの洗浄時間の前の、持続的な洗浄過程において、大量の不純物が徐々に蓄積することによりフィルターエレメントの外周空間にある水が濁り、フィルターエレメントの外周表面及び浄水器の内部の周辺の表面に付着したり、さらに下方に汚泥として沈殿したりすることがある。また、一般的な洗浄過程では、フィルターエレメントの外周表面が洗浄されるが、フィルターエレメントの外周と浄水器の内周との間の不純物や汚泥を効果的に除去できない。よって、フィルターエレメントの洗浄頻度が増えるだけでなく、フィルターエレメントの耐用年数が短縮する。以上に鑑み、従来技術と異なる構造を提供し、上記欠点を改善するために、考案者は、長年の経験及び継続的な改善を蓄積した結果、本考案を完成するに至った。
【０００５】
本考案の１つの目的は、従来の浄水器のフィルターエレメントの手動洗浄方式が不便であり、フィルターエレメントの外周と浄水器の内周との間の不純物や汚泥を効果的に除去できないという問題を解決できる水ろ過装置を提供することである。
【課題を解決するための手段】
【０００６】
上記考案の目的を達成させるために、本考案に係る水ろ過装置は、直管形フィルターエレメント、直筒、及びリングを備える。直管形フィルターエレメントは、その内部空間に連通する浄化水吐出端を有し、直筒は、内部に円筒形空間を有し、第１吐出端、給水端及び第２吐出端を有し、第１吐出端が直管形フィルターエレメントの浄化水吐出端に接続され、直管形フィルターエレメントを円筒形空間の内部に同軸に位置決めし、第２吐出端が直筒の吐出量を制御する制御弁を有し、直筒の内側壁面と直管形フィルターエレメントの外側壁面との間に環状空間が形成されており、直筒の内側壁面の一方側に第１案内部を有し、リングは、直管形フィルターエレメントに設けられ、リングの内輪面には、直管形フィルターエレメントの外側壁面に当接する第１洗浄部材を有し、リングの一方側には、第１案内部に相対上下移動可能に連結される第２案内部を有し、リングの他方側には、第１スクリューが螺合され、第１スクリューの一端には、第１スクリューを原位置で回動させるための駆動部材が連結され、それによりリングの第１洗浄部材が上下に移動して直管形フィルターエレメントの外側壁面をクリーニングする。
【０００７】
好適には、リングの外輪面には、直筒の内側壁面に当接して内側壁面をクリーニングするための第２洗浄部材を有する。
【０００８】
好適には、第１案内部は、直線ロッドであり、第２案内部は、リングの一方側を上下に貫通している孔であり、直線ロッドは、孔を貫通して、リングが第１案内部に対して上下移動するようにする。
【０００９】
好適には、第１案内部はスクリューであり、第２案内部はリングの一方側を上下に貫通している第２内ネジである。
【００１０】
好適には、リングの他方側は、第１スクリューに螺合するための、リングを上下に貫通している第１内ネジを有する。
【００１１】
好適には、該直筒の筒壁には透明覗ぎ窓を有する。
【考案の効果】
【００１２】
本考案では、給水量及び吐出量を制御すること、及びスクリューを現位置で回動させることによって、リングを上下に移動させ、洗浄部材で直管形フィルターエレメントの外側壁面をクリーニングし、さらにクリーニング直筒の内側壁面を同時にリーンし、それにより、フィルターエレメントの水ろ過効果を確保し、フィルターエレメントの洗浄頻度を低減させ、フィルターエレメントの耐用年数を延ばすことができる。
【図面の簡単な説明】
【００１３】
【図１】本考案の第１実施例の組み合わせ断面図である。
【図２】本考案のリングの立体外観図である。
【図３】本考案の第１実施例の使用状態の模式図である。
【図４】本考案の第２実施例の組み合わせ断面図である。
【考案を実施するための形態】
【００１４】
図１、図２に示されるように、本考案の第１実施例の水ろ過装置１は、直管形フィルターエレメント２、直筒３、リング４、第１スクリュー５及び第１案内部６を備える。直管形フィルターエレメント２は、逆方向の上端及び底端を有し、直管形フィルターエレメント２の底端が密閉状であり、直管形フィルターエレメント２の上端には、直管形フィルターエレメント２の内部空間に連通して、ろ過後の浄化水を吐出するための浄化水吐出端２１を有する。
【００１５】
直筒３は、逆方向の上端及び底端を有し、上端と底端との間の直筒３の内部が円筒形空間３１となり、直筒３の筒壁には、円筒形空間３１の内部の水質を観察するための透明覗ぎ窓３１１を有し、直筒３の上端は、直管形フィルターエレメント２の上端の浄化水吐出端２１に接続されて直管形フィルターエレメント２を直筒３の円筒形空間３１の内部に同軸に位置決めするための第１吐出端３２を有し、且つ、直筒３の内側壁面と直管形フィルターエレメント２の外側壁面との間には、環状空間３３が形成されている。直筒３の底端は、給水端３４及び第２吐出端３５を有し、給水端３４は、水源に接続され、未浄化水を直管形フィルターエレメント２の外側壁面の円筒形空間３１に送り、第２吐出端３５は、直筒３の内部の未浄化水の吐出量を制御するための制御弁３６を有する。
【００１６】
リング４は、逆方向の環状天面４１及び環状底面４２を有し、リング４の中央部位には、該環状天面４１及び該環状底面４２を上下に貫通している円状孔４３を有し、この円状孔４３を介してリング４が直管形フィルターエレメント２の外周に設けられ、上記リング４の円状孔４３の位置には、内輪面４３１を有し、リング４の内輪面４３１に亘って、直管形フィルターエレメント２の外周に向かう複数の横毛が配置されており、複数の横毛の自由端がそれぞれ直管形フィルターエレメント２の外側壁面に当接され、該複数の横毛は、第１洗浄部材４４として機能する。リング４の外輪面に亘って、リングの外周から離れた方向に水平に延びている複数の横毛が配置されており、複数の横毛の自由端がそれぞれ直筒３の内側壁面に当接され、この複数の横毛は第２洗浄部材４５として機能する。リング４の一方側には、環状天面４１及び環状底面４２を上下に貫通している第２内ネジを有し、該第２内ネジは第２案内部４６として機能し、リング４の他方側には、環状天面４１及び環状底面４２を上下に貫通している第１内ネジ４７を有する。
【００１７】
第１スクリュー５の上端は、直筒３の天板の下方に位置決めされ、第１スクリュー５はリング４の他方側の第１内ネジ４７に螺合され、第１スクリュー５の底端には、サーボモータが連結されており、該サーボモータは、駆動部材５１として、第１スクリュー５を原位置で回動させ、他方のスクリューは、直筒３の内側壁面の一方側に位置決めされ、第１案内部６として機能し、第１案内部６の上端は、直筒３の天板の下方に位置決めされ、第１案内部６は、リング４の一方側の第２案内部４６に螺合され、第１案内部６の底端は、ベルト６１を介して連結され、第１スクリュー５と同方向に同期して回動し、実施するとき、第１案内部６の底端は、別のサーボモータに連結されるか、又は歯車を介して伝動するようにしてもよく、このようにしても、第１スクリュー５と第１案内部６が同方向に同期して回動することができる。
【００１８】
それによって、図３に示されるように、使用者は、直筒３壁における透明覗ぎ窓３１１を介して円筒形空間３１の内部の水が濁ったことを観察したとき、直筒３の上端の第１吐出端３２を閉鎖するとともに、直筒３の底端の給水端３４及び第２吐出端３５を開放し、直管形フィルターエレメント２の外側壁面の円筒形空間３１の内部の水圧を下げ、未浄化水のほとんどを円筒形空間３１に収容することができる。また、駆動部材５１は、第１スクリュー５と第１案内部６が時計回りに原位置で回動するように駆動し、リング４を上へ移動させ、第１洗浄部材４４及び第２洗浄部材４５を用いてそれぞれ直管形フィルターエレメント２の外側壁面及び直筒３の内側壁面を上向きにクリーニングする。プログラムにより自動的に制御されるか、又は反転タッチデバイス７が当接して制御する際に、リング４が上へ移動して直筒３の上端に到達すると、駆動部材５１は、第１スクリュー５と第１案内部６が同時に反時計回りで原位置で回動するように駆動し、リング４を下へ移動させ、さらに第１洗浄部材４４及び第２洗浄部材４５を用いてそれぞれ直管形フィルターエレメント２の外側壁面及び直筒３の内側壁面を下向きにクリーニングするとともに、沈降している不純物や汚泥を撹拌して、第２吐出端３５を外へ排出する。
【００１９】
図４には、本考案の水ろ過装置１の第２実施例が示されており、第１実施例に比べて、以下の点が異なる。第１案内部６は、直線ロッドであり、第２案内部４６は、リング４の一方側を上下に貫通している円状孔であり、直線ロッドは、該孔を貫通して案内作用を果たし、それによって、第１スクリュー５が原位置で回動すると、リング４は第１案内部６に対して上下移動し、直線ロッドのような第１案内部６は、第２案内部４６に対する相対回動速度を自動的に調整し、それによって、リング４を実施する効果を達成させるだけではなく、第１スクリュー５と同期して回動することによって相互干渉が発生しやすいことを回避し、第１スクリュー５の回動をより順調にする。
【００２０】
したがって、本考案は、以下の利点を有する。
１、本考案では、直筒壁に透明覗ぎ窓を有するので、使用者が直筒の内部における水質をいつでも観察することができ、それにより、水が濁ると洗浄を行い、不純物や汚泥の沈積を効果的に回避する。
２、本考案では、主にスクリューを利用してリングを上下に移動させ、さらに第１、第２洗浄部材を用いて直管形フィルターエレメントの外側壁面及び直筒の内側壁面をそれぞれクリーニングするため、手動洗浄方式の不便さを解決できるだけではなく、クリーニング作業を徹底的に実施することができ、それにより、フィルターエレメントの水ろ過効果を確保し、フィルターエレメントの洗浄頻度を低減させ、フィルターエレメントの耐用年数を延ばす。
３、本考案では、直筒の底端には、給水端及び第２吐出端が設けられ、且つ第２吐出端が直筒の内部における未浄化水の吐出量を制御するための制御弁を有するため、直筒の内部の水圧が下がった際に、リングを順調に上下移動させ、第１、第２洗浄部材を用いて直管形フィルターエレメントの外側壁面及び直筒の内側壁面をそれぞれクリーニングすることができ、一方、給水端から給水して第２吐出端から吐出するとき、第１、第２洗浄部材の洗浄作業の利便性から、未浄化水のほとんどを直筒の内部に収容し、さらに、直筒の内部における水が流れているとき、除去された不純物や汚泥を素早く且つ確実に排出できる。
【００２１】
前記のとおり、以上に開示された内容によれば、本考案は、期待される目的を達成させ、簡便且つ効果的に使用でき、クリーニング作業を徹底的に実施することができ、それによって、フィルターエレメントの水ろ過効果を確保し、フィルターエレメントの洗浄頻度を低減させ、フィルターエレメントの耐用年数を延ばすことができる水ろ過装置を提供することができ、産業用途で非常に価値があり、法律に従って実用新案の出願を提出した。
【符号の説明】
【００２２】
水ろ過装置１ 
直管形フィルターエレメント２
浄化水吐出端２１
直筒３
円筒形空間３１
透明覗ぎ窓３１１
第１吐出端３２
環状空間３３
給水端３４
第２吐出端３５
制御弁３６
リング４
環状天面４１
環状底面４２
円状孔４３
内輪面４３１
第１洗浄部材４４
第２洗浄部材４５
第２案内部４６
第１内ネジ４７
第１スクリュー５
駆動部材５１
第１案内部６
ベルト６１
反転タッチデバイス７
【図１】
0003226481.tif 000003
【図２】
0003226481.tif 000004
【図３】
0003226481.tif 000005
【図４】
0003226481.tif 000006